(57)【要約】【課題】ホームページのビジュアル的なオリジナル性を損なうことなく、また利便性を損なうことのなくリンクポイントの選択を容易にできるデータ通信装置およびそのプログラムを提供する。【解決手段】制御部１００は、モデムＭＯＤおよびネットワーク接続部１０１を通じて受信したホームページのデータを、画像／音声データ処理部１０７を制御してテレビジョン受像機ＴＶに表示する際に、ホームページを表示したウィンドウ上に重ねて新たなウィンドウを入力補助表示として表示し、この新たなウィンドウでは上記ホームページが透過して見えるようにしつつ、上記ホームページのリンクポイントに対応づけた数字を表示する。そして、赤外線リモコンＲＴを通じてユーザが数字を入力したり、ポインタで選択した場合に、その数字に対応するリンクにアクセスするようにしたものである。【選択図】    図１
2004326587.tif 000002
【特許請求の範囲】
【請求項１】
ネットワークを通じて受信した情報を表示装置に表示させるデータ通信装置において、
複数のキースイッチを備え、このキースイッチが操作されることによりユーザからの要求を受け付ける入力手段と、
前記表示装置に第１のウィンドウを表示させ、この第１のウィンドウ内に、ネットワークを通じて受信した情報を表示する第１の表示制御手段と、
前記第１のウィンドウ内に表示される情報のうち、ネットワーク上の位置情報が対応づけられたリンク情報が表示される位置を検出する位置検出手段と、
前記第１のウィンドウ上に重ねて、この第１のウィンドウ内の表示内容が透過する第２のウィンドウを表示し、この第２のウィンドウ内には、前記位置検出手段が検出した位置に対応づけて、前記キースイッチを識別する識別情報を表示する第２の表示制御手段と、
前記入力手段が要求を受け付けた場合に、この要求で操作されたキースイッチの識別情報に対応する前記第１のウィンドウ内のリンク情報に基づいて、前記ネットワークを通じて情報を受信する通信手段とを具備したことを特徴とするデータ通信装置。
【請求項２】
さらに、前記第２のウィンドウ内に表示するキースイッチの識別情報に、前記第１のウィンドウ内の対応するリンク情報を設定するリンク設定手段を備え、
前記通信手段は、前記入力手段が要求を受け付けた場合に、この要求で操作されたキースイッチの識別情報に、前記リンク設定手段が設定したリンク情報に基づいて、前記ネットワークを通じて情報を受信することを特徴とする請求項１に記載のデータ通信装置。
【請求項３】
前記第２の表示制御手段は、前記入力手段を通じたユーザからの要求に応じて、前記第１のウィンドウ上に重ねて、この第１のウィンドウ内の表示内容が透過する第２のウィンドウを表示し、この第２のウィンドウ内には、前記位置検出手段が検出した位置に基づく位置に、前記キースイッチを識別する識別情報を表示することを特徴とする請求項１または請求項２に記載のデータ通信装置。
【請求項４】
前記第２の表示制御手段は、前記入力手段を通じたユーザからの要求に応じて、前記第２のウィンドウを選択的に表示あるいは非表示することを特徴とする請求項１乃至請求項３のいずれかに記載のデータ通信装置。
【請求項５】
ネットワークを通じて受信した情報を表示装置に表示させるデータ通信装置のプログラムであって、
複数のキースイッチが選択的に操作されることによりユーザからの要求を受け付ける入力手段と、
前記表示装置に第１のウィンドウを表示させ、この第１のウィンドウ内に、ネットワークを通じて受信した情報を表示する第１の表示制御手段と、
前記第１のウィンドウ内に表示される情報のうち、ネットワーク上の位置情報が対応づけられたリンク情報が表示される位置を検出する位置検出手段と、
前記第１のウィンドウ上に重ねて、この第１のウィンドウ内の表示内容が透過する第２のウィンドウを表示し、この第２のウィンドウ内には、前記位置検出手段が検出した位置に対応づけて、前記キースイッチを識別する識別情報を表示する第２の表示制御手段と、
前記入力手段が要求を受け付けた場合に、この要求で操作されたキースイッチの識別情報に対応する前記第１のウィンドウ内のリンク情報に基づいて、前記ネットワークを通じて情報を受信する通信手段として前記データ通信装置を機能させるためのプログラム。
【請求項６】
さらに、前記第２のウィンドウ内に表示するキースイッチの識別情報に、前記第１のウィンドウ内の対応するリンク情報を設定するリンク設定手段を備え、
前記通信手段は、前記入力手段が要求を受け付けた場合に、この要求で操作されたキースイッチの識別情報に、前記リンク設定手段が設定したリンク情報に基づいて、前記ネットワークを通じて情報を受信することを特徴とする請求項５に記載のプログラム。
【請求項７】
前記第２の表示制御手段は、前記入力手段を通じたユーザからの要求に応じて、前記第１のウィンドウ上に重ねて、この第１のウィンドウ内の表示内容が透過する第２のウィンドウを表示し、この第２のウィンドウ内には、前記位置検出手段が検出した位置に基づく位置に、前記キースイッチを識別する識別情報を表示することを特徴とする請求項５または請求項６に記載のプログラム。
【請求項８】
前記第２の表示制御手段は、前記入力手段を通じたユーザからの要求に応じて、前記第２のウィンドウを選択的に表示あるいは非表示することを特徴とする請求項５乃至請求項７のいずれかに記載のプログラム。
【発明の詳細な説明】
【０００１】
【発明の属する技術分野】
この発明は、例えばパーソナルコンピュータやセットトップボックス、家庭用ゲーム機など、インターネットなどのネットワークを通じた通信が可能なデータ通信装置に関する。
【０００２】
【従来の技術】
周知のように、従来の例えばセットトップボックスや家庭用ゲーム機などのデータ通信装置では、インターネットなどのネットワークを通じてホームページを閲覧する機能を備えており、赤外線リモコンなどによって指示を与えて操作するようになっている。
【０００３】
ところが、赤外線リモコンには、アイコンポインタを移動させるための方向ボタンや操作スティックが備えられているが、ホームページ上に設けられたリンクポイント上に移動させるには慣れやコツを必要として操作性が悪かった。
【０００４】
このため従来は、ホームページのＨＴＭＬファイルの一部を書き換えて、上記リンクポイントに数字やアルファベットを割り当てて表示し、これに対応するリモコン上のキーを操作することで、リンクポイントをクリックしたものと見なして動作するようにしている。
【０００５】
しかしながら、上述したように、図３に示すようなホームページのＨＴＭＬファイルの一部を書き換えて、リンクポイントに数字やアルファベットを割り当てて表示するため、図７に示すように表示データの大きさが拡大して画面からはみ出し、スクロール操作が必要となったり、スクロール量が増えてしまい、利便性が低下するという問題があった（例えば、特許文献１参照）。
【０００６】
【特許文献１】
特開平１１−２５１１４公報（第５−９頁、図１）。
【０００７】
【発明が解決しようとする課題】
従来のデータ通信装置では、ホームページのＨＴＭＬファイルの一部を書き換えて、リンクポイントに数字やアルファベットを割り当てて表示するため、表示データの大きさが拡大して画面からはみ出し、スクロール操作が必要となったり、スクロール量が増えてしまい、利便性が低下するという問題があった。
【０００８】
この発明は上記の問題を解決すべくなされたもので、ホームページのビジュアル的なオリジナル性を損なうことなく、また利便性を損なうことのなくリンクポイントの選択を容易にできるデータ通信装置およびそのプログラムを提供することを目的とする。
【０００９】
【課題を解決するための手段】
上記の目的を達成するために、請求項１に係わる本発明は、ネットワークを通じて受信した情報を表示装置に表示させるデータ通信装置において、複数のキースイッチを備え、このキースイッチが操作されることによりユーザからの要求を受け付ける入力手段と、表示装置に第１のウィンドウを表示させ、この第１のウィンドウ内に、ネットワークを通じて受信した情報を表示する第１の表示制御手段と、第１のウィンドウ内に表示される情報のうち、ネットワーク上の位置情報が対応づけられたリンク情報が表示される位置を検出する位置検出手段と、第１のウィンドウ上に重ねて、この第１のウィンドウ内の表示内容が透過する第２のウィンドウを表示し、この第２のウィンドウ内には、位置検出手段が検出した位置に対応づけて、キースイッチを識別する識別情報を表示する第２の表示制御手段と、入力手段が要求を受け付けた場合に、この要求で操作されたキースイッチの識別情報に対応する第１のウィンドウ内のリンク情報に基づいて、ネットワークを通じて情報を受信する通信手段とを具備して構成するようにした。
【００１０】
また、請求項５に係わる本発明は、ネットワークを通じて受信した情報を表示装置に表示させるデータ通信装置のプログラムであって、複数のキースイッチが選択的に操作されることによりユーザからの要求を受け付ける入力手段と、表示装置に第１のウィンドウを表示させ、この第１のウィンドウ内に、ネットワークを通じて受信した情報を表示する第１の表示制御手段と、第１のウィンドウ内に表示される情報のうち、ネットワーク上の位置情報が対応づけられたリンク情報が表示される位置を検出する位置検出手段と、第１のウィンドウ上に重ねて、この第１のウィンドウ内の表示内容が透過する第２のウィンドウを表示し、この第２のウィンドウ内には、位置検出手段が検出した位置に対応づけて、キースイッチを識別する識別情報を表示する第２の表示制御手段と、入力手段が要求を受け付けた場合に、この要求で操作されたキースイッチの識別情報に対応する第１のウィンドウ内のリンク情報に基づいて、ネットワークを通じて情報を受信する通信手段としてデータ通信装置を機能させるように構成した。
【００１１】
上記構成のデータ通信装置およびプログラムでは、第１のウィンドウ内にネットワークを通じて受信した情報を表示するとともに、この第１のウィンドウ上に重ねて、第１のウィンドウ内の表示内容が透過する第２のウィンドウを表示し、この第２のウィンドウ内には、第１のウィンドウ内のリンク情報に対応づけてキースイッチを識別する識別情報を表示し、入力手段が要求を受け付けた場合に、この要求で操作されたキースイッチの識別情報に対応する第１のウィンドウ内のリンク情報に基づいて、ネットワークを通じて情報を受信するようにしている。
【００１２】
したがって、上記構成のデータ通信装置によれば、第１のウィンドウに重ねて、リンク選択のガイドを行う第２のウィンドウを表示するようにしているので、例えばホームページなどの情報を第１のウィンドウに表示した場合に、そのビジュアル的なオリジナル性を損なうことなく、またスクロール量を増大させるなどの利便性を損なうことのなくリンクポイントの選択を容易に行うことができる。
【００１３】
【発明の実施の形態】
以下、図面を参照して、この発明の一実施形態について説明する。
この発明に係わるデータ通信装置は、図１に示すように、制御部１００、ネットワーク接続部１０１、赤外線受光部１０２、ＲＯＭ１０３、ハードディスク１０４、フラッシュメモリ１０５、ＲＡＭ１０６、画像／音声データ処理部１０７、ビデオ信号生成部１０８を備える。
【００１４】
ネットワーク接続部１０１は、モデムＭＯＤを介してインターネットやイントラネットなどのネットワークＮＷを通じて、このネットワークを通じて通信可能なサーバ装置（図示しない）とデータ通信を行うものであって、後述する制御部１００によって制御される。
【００１５】
赤外線受光部１０２は、ユーザが操作する赤外線リモートコントローラ（以下、赤外線リモコンと略称する）ＲＴから発せられる赤外線信号を受信し、ユーザからの指示や要求を受け付けて、これを制御部１００に通知するものである。  なお、上記赤外線リモコンＲＴは、英数字が割り当てられた複数のキースイッチや、方向を指示するための方向キーなどを備える。
【００１６】
ＲＯＭ１０３は、制御部１００の制御プログラム、ブラウザなどのアプリケーションソフトウェアや制御データを記憶する。
ハードディスク１０４は、アプリケーションソフトウェアや種々の情報を記憶するのに用いられる。
【００１７】
フラッシュメモリ１０５は、主として、制御部１００によって収集された情報を記憶するのに用いられる。
ＲＡＭ１０６は、制御部１００がデータ処理に用いる作業領域として用いられる。
【００１８】
画像／音声データ処理部１０７は、制御部１００から与えられる表示データや画像データ（静止画像・動画像）、音声データ、音楽データをデコードして画像信号および音声信号を生成し、上記画像信号をビデオ信号生成部１０８に出力するとともに、上記音声信号をスピーカＳＰより拡声出力する。
【００１９】
ビデオ信号生成部１０８は、画像／音声データ処理部１０７から入力される画像信号に基づいてビデオ信号を生成し、テレビジョン受像機ＴＶに出力してこれに画像を映示する。
【００２０】
制御部１００は、当該データ通信装置の各部を統括して制御するものであって、ＲＯＭ１０３やハードディスク１０４に記録されるプログラムにしたがって、ネットワークＮＷを通じてデータ通信する制御機能や、この機能により受信した種々のデータファイルを再生したり、ホームページを閲覧する再生制御機能、時刻を計時するクロック機能などを備える他、新たな制御機能として、透過式の入力補助表示を行う制御機能を備える。
【００２１】
次に、上記構成のデータ通信装置の動作について説明する。なお、以下の説明では、この発明にかかわるホームページデータの閲覧制御について説明する。この制御は、制御部１００により、図２に示すフローチャートにしたがってなされる。
【００２２】
電源が投入され、ホームページを閲覧するためのアプリケーションソフトウェアを起動すると、このソフトウェアのプログラムがＲＯＭ１０３あるいはハードディスク１０４からＲＡＭ１０６に読み出されて実行される。
【００２３】
まず、ステップ２ａにおいて制御部１００は、ユーザからの要求に応じて、初期設定を行う。ここでは、赤外線リモコンＲＴを操作するユーザから、入力補助表示を行うか否かなどが指定され、これを受け付けると、ステップ２ｂに移行する。
【００２４】
ステップ２ｂにおいて制御部１００は、ネットワーク接続部１０１およびモデムＭＯＤを制御して、ネットワークＮＷを通じてサーバ装置（図示しない）と通信し、赤外線受光部１０２を通じて赤外線リモコンＲＴを操作するユーザから指定されたＵＲＬ（Ｕｎｉｆｏｒｍ  Ｒｅｓｏｕｒｃｅ  Ｌｏｃａｔｏｒ）のホームページのデータの読み込みを開始する。そして、読み込んだホームページデータは、ＲＡＭ１０６に保存し、画像／音声データ処理部１０７およびビデオ信号生成部１０８を制御して、テレビジョン受像機ＴＶにホームページの表示を開始し、ステップ２ｃに移行する。なお、この時、テレビジョン受像機ＴＶの画面上において、ブラウザの表示領域Ｂに表示されるホームページの一例を図３に示す。
【００２５】
ステップ２ｃにおいて制御部１００は、ステップ２ｂで開始したホームページデータの読み込みとその表示が共に完了したか否かを判定する。ここで、ホームページデータの読み込みとその表示が共に完了した場合には、ステップ２ｄに移行し、一方、完了していない場合にはステップ２ｃで完了の監視を継続する。なお、ここでいう完了とは、すべてのホームページのデータを読み込んだ場合だけでなく、ユーザから読み込みの中止指示があった場合、その時点で読み込んだデータの表示か完了した場合も含むものとする。
【００２６】
ステップ２ｄにおいて制御部１００は、ステップ２ａにて入力補助表示を行う設定がなされているかを判定するとともに、赤外線受光部１０２の受信状況を監視し、赤外線リモコンＲＴを操作するユーザから入力補助表示を行う指示が生じたか否かを判定する。ここで、ステップ２ａにて入力補助表示を行う設定がなされているか、あるいは上記指示が生じた場合には、ステップ２ｈに移行し、一方、上記設定もなされず上記指示もない場合には、ステップ２ｅに移行する。
【００２７】
ステップ２ｅにおいて制御部１００は、赤外線受光部１０２の受信状況を監視し、赤外線リモコンＲＴを操作するユーザから、表示中のホームページデータをスクロールさせる要求がなされたか否かを判定する。ここで、スクロールさせる要求がなされた場合には、ステップ２ｆに移行し、一方、上記要求がなされない場合には、ステップ２ｇに移行する。
【００２８】
ステップ２ｆにおいて制御部１００は、赤外線リモコンＲＴを操作するユーザからのスクロール要求に応じて、必要なホームページデータをＲＡＭ１０６から読み込む。そして、この読み込んだホームページデータに基づいて、画像／音声データ処理部１０７およびビデオ信号生成部１０８を制御して、スクロールさせたホームページをテレビジョン受像機ＴＶに表示させ、ステップ２ｇに移行する。
【００２９】
ステップ２ｇにおいて制御部１００は、赤外線受光部１０２にて受光した赤外線信号を監視し、赤外線リモコンＲＴを操作するユーザからリンク先への移動の要求が生じたか否かを判定する。ここで、リンク先への移動要求が発生した場合には、ステップ２ｂに移行し、上記リンクポイントに対応づけられたＵＲＬ情報に基づいて、対応するサーバ装置にアクセスして、ホームページのデータなどの読み込みを開始する。一方、上記要求がなされない場合には、ステップ２ｄに移行する。なお、ここでの移動要求は、従来と同様の操作によりなされ、アイコンポインタをリンクポイントに一致させてこれを選択するボタン操作がなされることで、リンク先への移動の要求がなされる。
【００３０】
一方、ステップ２ｈにおいて制御部１００は、ＲＡＭ１０６に読み込んだホームページデータを解析して、リンクポイントを検出してその表示位置を解析し、ステップ２ｉに移行する。
ステップ２ｉにおいて制御部１００は、ステップ２ｈで解析したリンクポイントの位置情報に基づいて、入力補助表示を行うためのＨＴＭＬ（Ｈｙｐｅｒ  Ｔｅｘｔ  Ｍａｒｋｕｐ  Ｌａｎｇｕａｇｅ）データを作成し、ステップ２ｊに移行する。この入力補助表示では、ステップ２ｂでＲＡＭ１０６に読み込んだホームページデータのリンクポイントの位置に対応するように、リンクポイントに割り当てた数字を配列して表示するものであって、この数字部分以外は透過した表示である。例えば図３に示すようなホームページに対しては、図４に示すような入力補助表示を行うＨＴＭＬデータを作成する。またこの数字には、表示上で重なるリンクポイントのＵＲＬを対応づけて設定しており、リンクポイントとして機能する。
【００３１】
ステップ２ｊにおいて制御部１００は、ステップ２ｂでＲＡＭ１０６に読み込んだホームページデータのうち、現在テレビジョン受像機ＴＶに表示させている領域を検出した後、画像／音声データ処理部１０７およびビデオ信号生成部１０８を制御して、テレビジョン受像機ＴＶに、ステップ２ｂで表示を開始したホームページのウィンドウ上に重ねて、別のウィンドウを新たに表示し、このウィンドウをアクティブにする。そしてこのウィンドウに、上記検出した領域に対応する部分の入力補助表示を行い、ステップ２ｋに移行する。この入力補助表示は、上記数字部分以外は透明であるため、下のウィンドウが透過して見えることになる。図５は、図３に示すウィンドウ上に図４に示すウィンドウを重ねて表示した場合を例示するものである。
【００３２】
ステップ２ｋにおいて制御部１００は、赤外線受光部１０２にて受光した赤外線信号を監視し、赤外線リモコンＲＴを操作するユーザから、入力補助表示を終了する要求が生じたか否かを判定する。ここで、入力補助表示を終了する要求が発生した場合には、ステップ２ｌに移行し、一方、上記要求がなされない場合には、ステップ２ｍに移行する。
ステップ２ｌにおいて制御部１００は、画像／音声データ処理部１０７およびビデオ信号生成部１０８を制御して、テレビジョン受像機ＴＶに表示している入力補助表示を終了し、ステップ２ｏに移行する。
【００３３】
ステップ２ｍにおいて制御部１００は、赤外線受光部１０２の受信状況を監視し、赤外線リモコンＲＴを操作するユーザから、表示中のホームページデータをスクロールさせる要求がなされたか否かを判定する。ここで、スクロールさせる要求がなされた場合には、ステップ２ｎに移行し、一方、上記要求がなされない場合には、ステップ２ｏに移行する。
【００３４】
ステップ２ｎにおいて制御部１００は、赤外線リモコンＲＴを操作するユーザからのスクロール要求に応じて、必要なホームページデータをＲＡＭ１０６から読み込む。そして、この読み込んだホームページデータに基づいて、画像／音声データ処理部１０７およびビデオ信号生成部１０８を制御して、スクロールさせたホームページをテレビジョン受像機ＴＶに表示させ、ステップ２ｏに移行する。
【００３５】
ステップ２ｏにおいて制御部１００は、赤外線受光部１０２にて受光した赤外線信号を監視し、赤外線リモコンＲＴを操作するユーザからリンク先への移動の要求が生じたか否かを判定する。ここで、リンク先への移動要求が発生した場合には、ステップ２ｂに移行し、上記リンクポイントに対応づけられたＵＲＬ情報に基づいて、対応するサーバ装置にアクセスして、ホームページのデータなどの読み込みを開始する。一方、上記要求がなされない場合には、ステップ２ｋに移行する。
【００３６】
なお、ここでの移動要求は、アイコンポインタをリンクポイント上に一致させてこれを選択するボタン操作がなされる場合と、リンクポイントに割り当てられた赤外線リモコンＲＴのキースイッチが操作される場合とがある。
【００３７】
赤外線リモコンＲＴのキースイッチが操作される場合には、制御部１００は、赤外線受光部１０２にて受光した赤外線信号に基づいて、画像／音声データ処理部１０７を制御し、図６に示すようなウィンドウＷを重ねて表示し、このウィンドウＷ上に、入力された英数字を順次表示する。そして、その後、赤外線リモコンＲＴに設けられた「確定」を示すキースイッチが押下されると、入力された英数字を受け付け、ウィンドウＷを消去する。
【００３８】
以上のように、上記構成のデータ通信装置では、ホームページを表示したウィンドウ上に重ねて新たなウィンドウを入力補助表示として表示し、この新たなウィンドウでは上記ホームページが透過して見えるようにしつつ、上記ホームページのリンクポイントに対応づけた数字を表示する。そして、赤外線リモコンＲＴを通じてユーザが数字を入力したり、ポインタで選択すると、その数字に対応するリンクにアクセスするようにしている。
したがって、上記構成のデータ通信装置によれば、ホームページのビジュアル的なオリジナル性を損なうことなく、また表示データの大きさが拡大して画面からはみ出したり、スクロール量が増えたりすることなく、リンクポイントにこれを選択するための数字を割り当てることができるので、利便性を損なうことなくリンクポイントの選択を容易できる。
【００３９】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４０】
【発明の効果】
以上述べたように、この発明では、第１のウィンドウ内にネットワークを通じて受信した情報を表示するとともに、この第１のウィンドウ上に重ねて、第１のウィンドウ内の表示内容が透過する第２のウィンドウを表示し、この第２のウィンドウ内には、第１のウィンドウ内のリンク情報に対応づけてキースイッチを識別する識別情報を表示し、入力手段が要求を受け付けた場合に、この要求で操作されたキースイッチの識別情報に対応する第１のウィンドウ内のリンク情報に基づいて、ネットワークを通じて情報を受信するようにしている。
【００４１】
したがって、この発明によれば、第１のウィンドウに重ねて、リンク選択のガイドを行う第２のウィンドウを表示するようにしているので、例えばホームページなどの情報を第１のウィンドウに表示した場合に、そのビジュアル的なオリジナル性を損なうことなく、またスクロール量を増大させるなどの利便性を損なうことのなくリンクポイントの選択を容易に行うことが可能なデータ通信装置およびプログラムを提供できる。
【図面の簡単な説明】
【図１】この発明に係わるデータ通信装置の一実施の形態の構成を示す回路ブロック図。
【図２】図１に示したデータ通信装置の動作を説明するためのフローチャート。
【図３】図１に示したデータ通信装置がネットワークより受信したホームページデータに基づいて表示を行った場合に表示例。
【図４】図１に示したデータ通信装置が図２に示した処理により表示する入力補助表示の一例を示す図。
【図５】図１に示したデータ通信装置が図２に示した処理により、図３に示した表示上に図４に示した表示を重ねて表示した様子を示す図。
【図６】ユーザが赤外線リモコンを通じて入力した英数字をガイド表示した一例を示す図。
【図７】従来のデータ通信装置によるホームページの表示例を示す図。
【符号の説明】
１００…制御部、１０１…ネットワーク接続部、１０２…赤外線受光部、１０３…ＲＯＭ、１０４…ハードディスク、１０５…フラッシュメモリ、１０６…ＲＡＭ、１０７…画像／音声データ処理部、１０８…ビデオ信号生成部、赤外線リモートコントローラ、ＭＯＤ…モデム、ＮＷ…ネットワーク、ＴＶ…テレビジョン受像機、ＳＰ…スピーカ。
【図１】
2004326587.tif 000003
【図２】
2004326587.tif 000004
【図３】
2004326587.tif 000005
【図４】
2004326587.tif 000006
【図５】
2004326587.tif 000007
【図６】
2004326587.tif 000008
【図７】
2004326587.tif 000009